(57)【要約】【課題】オーバーフロー管を備えたＵ字形側溝ブロック１０において、側溝を流れる雨水面に浮遊するごみや土砂等がオーバーフロー管に流入する防止する。【解決手段】Ｕ字形側溝ブロック１０のオーバーフロー管２７を取り付けた側壁１１側に、第１の堰き板３０と第２の堰き板４０を取り付ける。第１の堰き板３０は上端３１がオーバーフロー管２７より上位に位置していて第２の堰き板４０はその下端４１と底板１３との間に隙間４２を形成しており、上端は第１の堰き板３０の上端３１よりも上位に位置している。【選択図】図３
2011174292.tif 000002
【特許請求の範囲】
【請求項１】
オーバーフロー管を備えたＵ字形側溝ブロックであって、
一方の側壁には排水孔が形成されていて、該排水孔に前記オーバーフロー管の取水口が接続しており、
該排水孔が形成された前記一方の側壁には、前記排水孔の上流側と下流側の適所に両端を固定した第１の堰き板が取り付けられており、
前記第１の堰き板の前記一方の側壁側とは反対の側には前記一方の側壁に両端を固定した第２の堰き板が前記第１の堰き板と間隔を置いて取り付けられており、
前記第１の堰き板はその下端がＵ字形側溝ブロックの底面に達しており上端は前記排水孔よりも上位の位置に達しており、
前記第２の堰き板はその下端はＵ字形側溝ブロックの底面に達してなく上端は前記第１の堰き板の上端よりも上位に位置している、
ことを特徴とするオーバーフロー管を備えたＵ字形側溝ブロック。
【請求項２】
請求項１に記載のオーバーフロー管を備えたＵ字形側溝ブロックであって、前記一方の側壁は側方に膨出した区画を一部に有しており、前記側方に膨出した区画に前記排水孔および第１と第２の堰き板が形成されていることを特徴とするオーバーフロー管を備えたＵ字形側溝ブロック。
【請求項３】
Ｕ字形側溝ブロックの複数個を連続して配置した道路側溝であって、一部のＵ字形側溝ブロックとして１個または複数個の請求項１または２に記載のオーバーフロー管を備えたＵ字形側溝ブロックを配置したことを特徴とする道路側溝。
【発明の詳細な説明】
【技術分野】
【０００１】
本発明は、オーバーフロー管を備えたＵ字形側溝ブロックとそれを用いた道路側溝に関する。
【背景技術】
【０００２】
降雨時に車道や歩道に雨水が滞留しないように、道路に沿って多数のＵ字形側溝ブロックを配置した道路側溝が設置される。また、道路側溝に急速に流入した雨水が道路側溝を溢れ出て道路が冠水してしまうのを防止する等の目的で、道路側溝に流入する雨水の一部を地中に設置した雨水浸透槽や雨水貯留槽などに一時的に流入させることも行われる。
【０００３】
道路側溝を流れる雨水の一部を雨水浸透槽などに流入させるために、通常、道路に沿って配置した多数のＵ字形側溝ブロックの一部に、オーバーフロー管を備えたＵ字形側溝ブロックを配置することが行われており、その一例が特許文献１に記載されている。このオーバーフロー管を備えたＵ字形側溝ブロックは、断面がＵ字形状であり、側溝ブロックの一側壁の上端部に排水孔が形成され、そこにオーバーフロー管の取水口を接続するようにしている。雨水量が少ないときには、雨水はＵ字形側溝ブロックの底面に沿って流れ、多くなったときに、雨水の一部が、側壁上端部に形成した排水孔からオーバーフロー管を通して地中に設けた貯留浸透槽などに流入する。
【０００４】
また、地中に貯留浸透槽を設置する場合に、樹脂材料からなる貯水空間形成部材を多段に積み上げ、その周囲を透水シートで覆って貯留槽あるいは浸透槽とすることも知られている（例えば、特許文献２等）。
【先行技術文献】
【特許文献】
【０００５】
【特許文献１】特開２００７−１６９９０２号公報
【特許文献２】特開２００８−８０７５号公報
【発明の概要】
【発明が解決しようとする課題】
【０００６】
上記特許文献１に記載されるオーバーフロー管を備えたＵ字形側溝ブロックは、一時的な雨水の増加に適切に対処できるものと期待される。しかし、排水孔を側壁上部に設けただけの形態であり、水面に浮遊するごみや土砂等がオーバーフロー管に流入しやすく、オーバーフロー管に詰まりを生じさせたり、オーバーフロー管を介して当該浮遊物を浸透浸透槽などへ流入させてしまう恐れがある。
【０００７】
本発明は、上記の事情に鑑みてなされたものであり、オーバーフロー管を備えたＵ字形側溝ブロックにおいて、側溝を流れる雨水面に浮遊するごみや土砂等がオーバーフロー管に流入するのを確実に阻止することができる側溝ブロックを開示することを課題とする。また、オーバーフロー管を備えたＵ字形側溝ブロックを一部に備えた道路側溝を開示することを課題とする。
【課題を解決するための手段】
【０００８】
本発明によるオーバーフロー管を備えたＵ字形側溝ブロックは、一方の側壁に排水孔が形成されていて、該排水孔に前記オーバーフロー管の取水口が接続しており、該排水孔が形成された前記一方の側壁には、前記排水孔の上流側と下流側の適所に両端を固定した第１の堰き板が取り付けられており、前記第１の堰き板の前記一方の側壁側とは反対の側には前記一方の側壁に両端を固定した第２の堰き板が前記第１の堰き板と間隔を置いて取り付けられており、前記第１の堰き板はその下端がＵ字形側溝ブロックの底面に達しており上端は前記排水孔よりも上位の位置に達しており、前記第２の堰き板はその下端はＵ字形側溝ブロックの底面に達してなく上端は前記第１の堰き板の上端よりも上位に位置していることを特徴とする。
【０００９】
好ましい態様において、本発明によるオーバーフロー管を備えたＵ字形側溝ブロックは、前記一方の側壁が側方に膨出した区画を一部に有しており、前記側方に膨出した区画に前記排水孔および第１と第２の堰き板が形成されている。
【００１０】
本発明による道路側溝は、Ｕ字形側溝ブロックの複数個を連続して配置した道路側溝であって、一部のＵ字形側溝ブロックとして１個または複数個の本発明によるオーバーフロー管を備えたＵ字形側溝ブロックが配置されていることを特徴とする。
【００１１】
本発明によるオーバーフロー管を備えたＵ字形側溝ブロックおよび道路側溝では、雨水の量が少なく、その水面レベルが前記第１の堰き板の上端のレベルに達していないときは、雨水は、Ｕ字形側溝ブロック内をそのまま下流に向けて流れていく。
【００１２】
雨水の量が多くなり、その水面が第１の堰き板の上端のレベルを超えると、超えた分の雨水すなわちオーバーフローした雨水は、第１の堰き板と側壁との間の空間に流入する。流入した雨水は、側壁に形成した排水孔を通ってオーバーフロー管に入り込み、そこから例えば雨水浸透槽や雨水貯留槽あるいは浸透桝などに流入する。
【００１３】
本発明のオーバーフロー管を備えたＵ字形側溝ブロックは、前記第１の堰き板の内側、すなわち側壁とは反対の側に、第２の堰き板を有しており、その堰き板の下端とＵ字形側溝ブロックの底面との間には隙間が形成されている。そのために、前記第１の堰き板と側壁との間の空間に流入する雨水は、必ず、Ｕ字形側溝ブロックの底面近くに位置する前記隙間を通過することとなる。それにより、雨水面に浮遊するごみや土砂は第２の堰き板によって堰き止められ、第１の堰き板と側壁との間の空間に流入する雨水は、それら浮遊物が含まれない清浄な雨水となる。
【００１４】
上記した側方に膨出した区画に排水孔および第１の第２の堰き板が形成されている形態のオーバーフロー管を備えたＵ字形側溝ブロックを用いる場合には、道路側溝の全長にわたって、道路側溝を形成する他のＵ字形側溝ブロックと同じ水路断面を確保することができ、オーバーフロー管を備えたＵ字形側溝ブロックの箇所において、道路側溝の流路抵抗が大きくなることはなく、上流のＵ字形側溝ブロックから雨水が溢流してしまうのを、確実に回避することができる。
【発明の効果】
【００１５】
本発明によれば、側溝を流れる雨水面に浮遊するごみや土砂等がオーバーフロー管に流入するのを確実に阻止することができるオーバーフロー管を備えたＵ字形側溝ブロックが得られる。また、本発明によるオーバーフロー管を備えたＵ字形側溝ブロックを道路側溝の一部に備えることにより、オーバーフローした雨水を貯留する浸透浸透槽などに浮遊物が入り込むのを確実に阻止することができる。
【図面の簡単な説明】
【００１６】
【図１】本発明によるオーバーフロー管を備えたＵ字形側溝ブロックを一部に備えた道路側溝を説明するため概略図。
【図２】図２（ａ）はオーバーフロー管を備えたＵ字形側溝ブロックの平面図、図２（ｂ）は図２（ａ）のｂ−ｂ線に沿う断面図。
【図３】オーバーフロー管を備えたＵ字形側溝ブロック〜断面とともに示す斜視図。
【発明を実施するための形態】
【００１７】
以下、図面を参照しながら、本発明を一実施の形態に基づき説明する。
図１において、Ａは道路側溝を示し、道路側溝Ａをオーバーフローした雨水が、地中に埋設された貯水浸透槽Ｂ、または浸透桝または貯留浸透桝の管理桝Ｃに、流入管Ｄを通って流入するようになっている。貯水浸透槽Ｂは、前記した特許文献１または２に記載されるような、従来から用いられている貯水浸透槽であってよく、管理桝も同様に従来知られた管理桝であってよい。従って、貯水浸透槽Ｂおよび管理桝Ｃの説明は省略する。
【００１８】
道路側溝Ａは、従来知られたＵ字形側溝ブロック１と、本発明によるオーバーフロー管を備えたＵ字形側溝ブロック１０との適数を、路線方向に接続することによって構成されている。図では、そのような道路側溝Ａの一部のみを示しており、実際には、多数個のＵ字形側溝ブロック１を接続して形成される長さの長い道路側溝中に、ある間隔をおいて、本発明によるオーバーフロー管を備えたＵ字形側溝ブロック１０が、適数配置される。
【００１９】
図２および図３を参照して、本発明によるオーバーフロー管を備えたＵ字形側溝ブロック１０の一例を説明する。オーバーフロー管を備えたＵ字形側溝ブロック１０は、左右の側壁１１，１２と底板１３を有し、側壁１１，１２の上端は水平方向のフランジ１４，１５とされている。そして、一方の側壁１１は、該側壁１１よりもさらに側方に膨出した区画２０を有している。
【００２０】
該膨出した区画２０は、側壁１１から外側に延びる第１の縦壁２１と、該第１の縦壁２１から所要距離だけ離れた位置でやはり側壁１１から外側に延びる第２の縦壁２２と、前記第１の縦壁２１の先端と第２の縦壁２２の先端とを繋ぐ第３の側壁２３と、前記第１の縦壁２１と第２の縦壁２２と第３の側壁２３との下端部を閉鎖する底板延長部２４とで構成されている。すなわち、図示のように、膨出した区画２０は、Ｕ字形側溝ブロック１０の水路側と上面側が開放し、底面と他の側面が閉鎖した形状をなしている。また、省略可能であるが、図示の例では、前記第１の縦壁２１と第２の縦壁２２と第３の側壁２３の上端には、前記した水平方向のフランジ１４に連続する第２のフランジ２５が形成されている。
【００２１】
なお、図では、全体として直方体状に側方に膨出した区画２０を描いているが、Ｕ字形側溝ブロック１０の水路側と上面側が開放し、底面と他の側面が閉鎖した形状であることを条件に、全体形状および大きさ等は任意である。
【００２２】
Ｕ字形側溝ブロック１０には、前記した第３の側壁２３の適所に、ここでは下端近傍に排水孔２６が形成されており、該排水孔２６にはオーバーフロー管２７の取水口が接続している。なお、前記排水孔２６は、所要の排水量を確保できるように、横長のものであることが望ましい。
【００２３】
Ｕ字形側溝ブロック１０は、さらに、前記第１の縦壁２１に一端を固着し、第２の縦壁２２に他端を固着した状態で、第１の堰き板３０と第２の堰き板４０が形成されている。図示されるように、第１の堰き板３０の下端部は前記底板延長部２４まで達しており、その上端部３１は、膨出した区画２０の上端位置よりは低い位置であって前記した排水孔２６よりも上位の位置まで達している。
【００２４】
第２の堰き板４０は、第１の堰き板３０の第３の側壁２３側とは反対の側において、第１の堰き板３０と所定距離だけ間隔を置いて取り付けられており、その上端部は膨出した区画２０の上端位置まで達している。そして、その下端部４１は前記底板延長部２４までは達してなく、第２の堰き板４０と底板延長部２４との間には、所定高さの隙間４２が形成されている。
【００２５】
上記のオーバーフロー管を備えたＵ字形側溝ブロック１０を一部に備えた道路側溝Ａにおいて、雨水の量が少なく、その水面レベルが第１の堰き板３０の上端３１のレベルに達していないときは、上流のＵ字形側溝ブロック１から流れ込む雨水は、Ｕ字形側溝ブロック１０内をそのまま下流に位置するＵ字形側溝ブロック１に流れていく。その間にも、雨水は第２の堰き板４０と底板延長部２４との間の隙間４２を通って、第１の堰き板３０と第２の堰き板４０との間の領域には入り込んでいる。
【００２６】
雨水の量が多くなると、水面のレベルは第１の堰き板３０の上端３１にまで達する。そして、それ以上に水面のレベルが高くなると、超えた分の雨水すなわちオーバーフローした雨水は、第１の堰き板３０の上端３１を乗り越えて、第１の堰き板３０と第３の側壁と２３の間の空間に流入し、流入した雨水は、第３の側壁に形成した排水孔２６を通ってオーバーフロー管２７に入り込む。そして、前記したように、そこから例えば雨水浸透槽Ｂや管理桝Ｃなどに流入する。それにより、道路側溝Ａから雨水が溢流して道路面に流れ出すのが防止される。
【００２７】
本発明のオーバーフロー管を備えたＵ字形側溝ブロック１０は、前記のように、第１の堰き板３０の内側、すなわちＵ字形側溝ブロック１０の主水路側に第２の堰き板４０を有し、第２の堰き板４０とＵ字形側溝ブロック１０の底板１３の間には隙間４２が形成されている。したがって、第１の堰き板３０と側壁（第３の側壁２３）との間の空間に流入する雨水は前記隙間４２を通過することとなり、雨水表面に浮遊するごみや土砂は第２の堰き板４０によって堰き止められる。結果として、第１の堰き板３０と側壁（第３の側壁２３）との間の空間に流入する雨水は、それら浮遊物が含まれない清浄な雨水となるので、オーバーフロー管２７に浮遊物が入り込むのを確実に阻止することができる。
【００２８】
なお、上記の例では、オーバーフロー管を備えたＵ字形側溝ブロック１０は、側方に膨出した区画２０を一体に有するものとしたが、このような膨出した区画２０を設けずに、従来知られたＵ字形側溝ブロック１の一方の側壁に、排水孔２６，第１堰き板３０，第２の堰き板４０を形成してもよい。その場合には、第１堰き板３０と第２の堰き板４０はＵ字形側溝ブロック１の水路内に膨出した形状、例えば、円筒状、楕円筒状、角柱状等、となる。
【００２９】
本発明によるオーバーフロー管を備えたＵ字形側溝ブロック１０は、従来のＵ字形側溝ブロック１と同様にコンクリート造であってもよい。しかし、製造の容易さから、ステンレス鋼材や樹脂材料で作ることが望ましい。その場合、前記した膨出した区画２０と残りの部分とを別々に作り、溶着等により一体化するようにしてもよい。
【００３０】
さらに、オーバーフロー管２７内にごみ等の固形物が入り込むのをさらに防止するために、第１の堰き板３０と第２の堰き板４０との間の通路にゴミよけ用のスクリーンを取り付けるようにしてもよい。
【００３１】
さらに、Ｕ字形側溝ブロック１、本発明によるオーバーフロー管を備えたＵ字形側溝ブロック１０、およびその側壁よりもさらに側方に膨出した区画２０内にごみ等の固形物が入り込むのを防止するために、それぞれの上面側の開放部を覆う蓋を取り付けるようにしてもよい。
【符号の説明】
【００３２】
Ａ…道路側溝、
Ｂ…貯水浸透槽、
Ｃ…管理桝、
Ｄ…流入管、
１…Ｕ字形側溝ブロック、
１０…本発明によるオーバーフロー管を備えたＵ字形側溝ブロック、
１１，１２…左右の側壁、
１３…底板、
２０…側壁よりもさらに側方に膨出した区画、
２１…第１の縦壁、
２２…第２の縦壁、
２３…第３の側壁、
２４…底板延長部、
２６…排水孔、
２７…オーバーフロー管、
３０…第１の堰き板、
４０…第２の堰き板、
３１…第１の堰き板の上端部、
４１…第２の堰き板の下端部、
４２…第２の堰き板と底板（底板延長部）の間の隙間。
【図１】
2011174292.tif 000003
【図２】
2011174292.tif 000004
【図３】
2011174292.tif 000005